(57)【要約】【課題】デザイン性を損なうことなく好適に操作可能な面状照明装置を提供する。【解決手段】本発明の一の実施の形態に係る面状照明装置は、上面及び下面を備え、該下面が発光面となるよう配される導光板と、この導光板の外周に沿って並ぶ複数の発光素子と、導光板の上面に沿って設けられた反射層と、反射層よりも前記導光板の発光面から離れた位置に設けられた電波受信部と、電波受信部の出力信号に応じて複数の発光素子に供給される電圧を制御する制御部と、を備える。【選択図】図４
2020184423.tif 000002
【特許請求の範囲】
【請求項１】
上面及び下面を備え、該下面が発光面となるよう配される第１導光板と、
前記第１導光板の外周に沿って並ぶ複数の第１発光素子と、
前記第１導光板の前記上面に沿って設けられた第１反射層と、
前記第１反射層よりも前記第１導光板の発光面から離れた位置に設けられた電波受信部と、
前記電波受信部の出力信号に応じて前記複数の第１発光素子に供給される電圧を制御する制御部と
を備える面状照明装置。
【請求項２】
天井に取付可能に構成された請求項１記載の面状照明装置。
【請求項３】
下面及び上面を備え、該上面が発光面となるよう配される第２導光板と、
前記第２導光板の外周に沿って並ぶ複数の第２発光素子と、
前記第２導光板の前記下面に沿って設けられた第２反射層と
を備え、
前記電波受信部は、前記第２反射層よりも前記第２導光板の発光面から離れた位置に設けられ、
前記制御部は、前記電波受信部の出力信号に応じて前記複数の第２発光素子に供給される電圧を制御する
請求項１記載の面状照明装置。
【請求項４】
壁面に取付可能に構成された請求項３記載の面状照明装置。
【請求項５】
前記第１反射層は、前記第１導光板の前記上面に設けられた反射シート、又は、前記第１導光板の前記上面に塗布された反射材である
請求項１〜４のいずれか１項記載の面状照明装置。
【請求項６】
前記電波受信部は、３００ＭＨｚ〜３．００ＧＨｚの電波に応じて前記制御部に信号を出力する
請求項１〜５のいずれか１項記載の面状照明装置。
【請求項７】
中心部に開口を備える略環状のシャーシを備え、
前記電波受信部はアンテナを備え、
前記電波受信部のアンテナは、前記シャーシの開口に対応する位置に設けられている
請求項１〜６のいずれか１項記載の面状照明装置。
【発明の詳細な説明】
【技術分野】
【０００１】
本発明は、面状照明装置に関する。
【背景技術】
【０００２】
発光ダイオードを利用した照明装置が知られている。このような照明装置は、一般的に、従来の白熱灯等と比較して発光効率が高く、低消費電力である。
【０００３】
発光ダイオードを利用した照明装置には、例えば、導光板と、この導光板の外周に沿って並ぶ複数の発光素子と、導光板の反射側の面に設けられた反射シートとを備える面状照明装置がある（引用文献１）。この様な構造によれば、薄型の面状照明装置を実現可能である。
【先行技術文献】
【特許文献】
【０００４】
【特許文献１】特開２０１４−１３５２９０号公報
【発明の概要】
【発明が解決しようとする課題】
【０００５】
この様な面状照明装置は、例えば赤外線リモコンによって制御することが考えられる。しかしながら、例えば赤外線の受信部を反射シートの上方に設けると、赤外線が反射シートによって反射されてしまい、受信部によって赤外線を受信することが出来ない。例えば、反射シートに貫通孔を設ければ反射シート上方の受信部によって赤外線を受信可能であるものの、この様な貫通孔は、照明に際して暗部となって表れてしまう。
【０００６】
引用文献１では、この様な課題を解決すべく、導光板を支持する支持枠の一部に赤外線リモコンの受信部を埋め込んでいる。しかしながら、この様な構成では、支持枠の形状に制約が生じ、自由なデザインを実現できない場合がある。
【０００７】
本発明はこのような課題に鑑みなされたものであり、デザイン性を損なうことなく好適に操作可能な面状照明装置を提供することを目的とする。
【課題を解決するための手段】
【０００８】
本発明の一の実施形態に係る面状照明装置は、上面及び下面を備え、該下面が発光面となるよう配される導光板と、この導光板の外周に沿って並ぶ複数の発光素子と、導光板の上面に沿って設けられた反射層と、反射層よりも前記導光板の発光面から離れた位置に設けられた電波受信部と、電波受信部の出力信号に応じて複数の発光素子に供給される電圧を制御する制御部とを備える。
【発明の効果】
【０００９】
本発明によれば、デザイン性を損なうことなく好適に操作可能な面状照明装置を提供することが可能となる。
【図面の簡単な説明】
【００１０】
【図１】本発明の第１実施形態に係る面状照明装置１００の外観を示す斜視図である。
【図２】同面状照明装置１００の分解斜視図である。
【図３】同面状照明装置１００の本体枠１０１の斜視図である。
【図４】同面状照明装置１００の模式的な断面図である。
【図５】図４のＡで示した部分の拡大図である。
【図６】同面状照明装置１００の発光回路の概略的な構成を示す回路図である。
【図７】第１の比較例に係る面状照明装置５００の構成を示す図である。
【図８】第２の比較例に係る面状照明装置６００の構成を示す図である。
【図９】本発明の第２実施形態に係る面状照明装置７００を下方から見た場合の斜視図である。
【図１０】同面状照明装置７００を上方から見た場合の斜視図である。
【図１１】同面状照明装置７００の分解斜視図である。
【発明を実施するための形態】
【００１１】
次に、図１〜図５を参照して、本発明の第１実施形態に係る面状照明装置１００の概略的な構成を説明する。
【００１２】
図１は、天井３００に取り付けられた面状照明装置１００を下方から見た場合の斜視図である。図示の通り、本実施形態に係る照明装置１００は、天井３００に取り付けられた状態において、円環状の本体枠１０１の内側に円状の拡散パネル１０２が配された略円盤状の全体形状を有している。使用に際しては、拡散パネル１０２を介して照明が行われる。
【００１３】
図２は、面状照明装置１００の分解斜視図である。本実施形態に係る面状照明装置１００は、図２に示すように、天井３００に設けられたアダプタ３０１に取り付けられる保持部材１０７と、該保持部材１０７に取り付けられる本体枠１０１と、保持部材１０７と本体枠１０１との間に配置される拡散パネル１０２、導光板１０３、高反射シート１０４、スポンジ１０５及びシャーシ１０６とを備える。
【００１４】
本体枠１０１は、本実施形態において、略円環状に構成されている。本体枠１０１は、拡散パネル１０２と、導光板１０３と、高反射シート１０４と、スポンジ１０５と、シャーシ１０６と、保持部材１０７と、を収容する。また、本体枠１０１の下端には、拡散パネル１０２等を保持するための保持部１０８が設けられている。本実施形態に係る保持部１０８は、本体枠１０１の下端部から内側に向かって延出する延出部である。
【００１５】
また、本体枠１０１の内周面には、図３に示す通り、複数の発光素子２０１が設けられている。発光素子２０１は、例えば、発光ダイオードである。これら複数の発光素子２０１は、本体枠１０１の内周面に沿って設けられたフレキシブルプリント基板２０２に搭載されており、本体枠１０１の内周面に沿って一列に並んでいる。図５に示す通り、これら複数の発光素子２０１は、導光板１０３の外周に沿って並び、導光板１０３の側面に光を照射する。
【００１６】
拡散パネル１０２は、高い透過率を有する材料からなり、導光板１０３から出射された光を拡散する。
【００１７】
導光板１０３は、例えば、アクリル樹脂等の高い透過率を有する材料からなる透明な円盤である。導光板１０３の側面（周面）は、発光素子２０１から出射される光が入射して導光板１０３内を進行する光入射端面として機能するよう構成されている。導光板１０３の下面は、側面から入射した光により面状に発光する側の面（発光面）であり、導光板１０３の上面（発光面の反対側の面）は、側面から入射した光を下面（発光面）に向けて反射させる側の面（反射面）である。導光板１０３の発光面や反射面には、例えば、印刷または加工によって設けられたドットパターンや溝によるパターン等の光拡散処理が施されていても良い。
【００１８】
高反射シート１０４は、高い反射率を有し、発光素子２０１から出射され、導光板１０３内の内部反射によって導光板１０３の反射面に至った光を発光面に向けて反射する。尚、本実施形態に係る高反射シート１０４は、導光板１０３の反射面の全域を覆っている。
【００１９】
スポンジ１０５は、高反射シート１０４とシャーシ１０６との間に設けられ、製造誤差や組付誤差の緩和等に寄与する。
【００２０】
シャーシ１０６は、金属等、剛性の高い材料からなり、図２に示す通り、中心部に開口１０６ａを備える略円環状に形成されている。図４及び図５に示す通り、シャーシ１０６は、本体枠１０１の保持部１０８と共に拡散パネル１０２、導光板１０３、高反射シート１０４、及び、スポンジ１０５を挟持する。また、シャーシ１０６は、制御部４００と、この制御部４００を他の構成に接続するための配線等と、を保持する。即ち、シャーシ１０６の上面（導光板１０３と反対側の面）及び本体枠１０１の内周面によって仕切られた空間には、制御部４００及び配線等が収容される。尚、制御部４００は、例えば、基板４０１、及び、基板４０１に搭載された複数の素子４０２を備える。素子４０２は、例えば、マイコン、集積回路、トランジスタ、抵抗、コンデンサ等の素子である。また、素子４０２には、電波の送受信を行う電波送受信部４０３が含まれている。
【００２１】
電波送受信部４０３は、例えば、２．４ＧＨｚ帯のブルートゥース（登録商標）、Ｗｉ−Ｆｉ（登録商標）、ＺｉｇＢｅｅ（登録商標）を利用するものであっても良い。また、電波送受信部４０３は、３１５ＭＨｚ帯、４００ＭＨｚ帯、８６８ＭＨｚ帯、９１５ＭＨｚ帯、９２０ＭＨｚ帯、９５０ＭＨｚ帯等、いわゆるＳｕｂ−ＧＨｚの周波数帯域の電波を利用するものであっても良い。
【００２２】
また、電波送受信部４０３は、電波の送受信に用いるアンテナ４０３ａを備える。アンテナ４０３ａは、図２に示す通り、シャーシ１０６の中心部に設けられた開口１０６ａに対応する位置に設けられ、シャーシ１０６からは一定の距離だけ離間して設けられている。ただし、シャーシ１０６が金属以外の材料からなる場合等、シャーシ１０６によって電波が遮蔽されない場合には、シャーシ１０６とアンテナ４０３ａとが近接して設けられていても良い。
【００２３】
保持部材１０７は、天井３００に設けられたアダプタ３０１に取り付けられ、本体枠１０１と、拡散パネル１０２と、導光板１０３と、高反射シート１０４と、スポンジ１０５と、シャーシ１０６と、を保持する。
【００２４】
尚、図示の例においては、本体枠１０１及びシャーシ１０６が略円環状に構成されており、拡散パネル１０２と、導光板１０３と、高反射シート１０４と、スポンジ１０５と、保持部材１０７と、が略円状に構成されている。即ち、これらの構成は、円に沿った形状を有する。しかしながら、これらの構成は、楕円に沿った形状を有していても良いし、四角形等の多角形に沿った形状を有していても良いし、その他の形状を有していても良い。
【００２５】
次に、図６を参照して、本実施形態に係る発光素子２０１を含む発光回路について説明する。図６は、発光回路の概略的な構成を示す回路図である。
【００２６】
図示の通り、本実施形態に係る発光回路は、第１端子２０３と第２端子２０４との間に直列に接続された複数の発光素子２０１を備える。第１端子２０３、第２端子２０４及び各種の配線は、例えば、フレキシブルプリント基板２０２（図３）上に設けられる。
【００２７】
制御部４００は、電圧供給部４０６及び信号制御部４０７を備える。
【００２８】
電圧供給部４０６は、例えば、アダプタ３０１から出力された交流電圧を整流する整流回路４１１と、整流回路４１１の出力電圧に基づいてＰＷＭ信号を生成するＰＷＭ制御回路４１２と、を備える。整流回路４１１は、例えば、複数のダイオードを含むブリッジ回路、及び、このブリッジ回路の出力端子間に接続された平滑化コンデンサを含む。ＰＷＭ制御回路４１２は、例えば、信号制御部４０７から調光信号及び調色信号を受信してＰＷＭ信号を生成し、第１端子２０３に接続された第３端子４０４及び第２端子２０４に接続された第４端子４０５の間に供給する。
【００２９】
信号制御部４０７は、例えば、上述した電波送受信部４０３と、電波送受信部４０３の出力信号に応じて電圧供給部４０６を制御するマイコンや集積回路等の信号処理回路４２２と、を備える。
【００３０】
信号制御部４０７は、例えば、本実施形態に係る面状照明装置が他の装置と共にネットワークを構築可能に構成されていても良い。例えば、信号制御部４０７は、グループＩＤ及びデバイスＩＤを記憶するレジスタ等の記憶装置を備える。この構成において、信号制御部４０７は、他の装置からネットワークを構築する旨のコマンドを受信した場合に、このコマンドに含まれているグループＩＤが自機のグループＩＤと一致するか否かを判定する。一致する場合には他の装置との通信を確立し、一致しない場合には通信を確立しない。通信を確立した場合、信号制御部４０７は、上記ネットワークを構築する旨のコマンドを送信する。自機から所定の距離範囲内に、自機と同一のグループＩＤを有する他の装置が更に存在していた場合には、これらとの間での通信を確立する。この様な所謂メッシュ型ネットワークの構築は、初期動作時に自動で行われる様、設定されていても良い。
【００３１】
尚、ここで言う所の「他の装置」には、例えば、自機以外の面状照明装置や、その他の照明装置や、リモコン、スマートフォン、タブレット端末等の端末装置や、通信を中継する中継装置や、照度センサ、人感センサ等のセンサ等が含まれる。端末装置は、例えば、照明装置への各種コマンド（例えば、照明装置のＯＮ／ＯＦＦ切り換え、調光、調色、通常照明モードと常夜灯照明モードとの切り替え等を指示するコマンド）を出力する。また、端末装置は、照明装置やセンサ等から各種情報を受信可能であっても良いし、この様な情報に基づいて演算処理等を実行可能であっても良い。例えば、端末装置は、ネットワーク内の照明装置等との双方向通信によってこれら照明装置等の稼働状況を監視し、該稼働状況や、該稼働状況から算出される消費電力及び電気料金等をディスプレイ上に表示可能に構成されても良い。
【００３２】
ネットワーク内の各装置は、本実施形態に係る面状照明装置と同様に、電波の送受信が可能な電波送受信部を有し、電波によって通信を行うものであっても良い。電波は赤外線等と異なり指向性を有しないため、ネットワーク内のある装置からコマンド等が出力されると、このコマンド等はこの装置から発せられた電波の受信強度が最も強い他の装置によって受信される。この際、コマンド等を送信する装置はマスタとして機能し、コマンド等を受信する装置はスレーブとして機能する。
【００３３】
コマンド等を受信した装置は、このコマンド等に含まれているデバイスＩＤが自機のデバイスＩＤと一致するか否かを判定する。一致する場合には、受信したコマンド等に応じて信号処理回路４２２に信号を送信すると共に、隣接して配置されるネットワーク内の他の装置に対してコマンド等を送信する。一方、一致しない場合には、信号処理回路４２２に信号を送信することなく、隣接して配置されるネットワーク内の他の装置に対してコマンド等を送信する。この際、コマンド等を出力する装置はマスタとして機能する。このように各装置が受信時にはスレーブとして機能し、送信時にはマスタとして機能することにより、メッシュ型ネットワーク内の全ての装置に対してコマンド等が伝送され、メッシュ型ネットワーク内の全ての装置を一括して制御することができる。
【００３４】
次に、本実施形態に係る面状照明装置の効果について説明する為に、第１及び第２の比較例に係る面状照明装置２００について説明する。
【００３５】
図７は、第１の比較例に係る面状照明装置５００について説明するための図である。図７（ａ）は面状照明装置５００の模式的な断面図である。図７（ｂ）は図７（ａ）のＢで示した部分の拡大図である。図７（ｃ）は面状照明装置５００の発光面を示す模式的な底面図である。尚、以下の説明において、本実施形態と同様の構成には同一の符号を付し、説明を省略する。
【００３６】
面状照明装置５００は、基本的には面状照明装置１００と同様に構成されているが、電波送受信部４０３を含む制御部４００のかわりに、赤外線受信部５０２を有する制御部５０１を備えている。また、高反射シート５０４、スポンジ５０５及び保持部材５０６には、赤外線受信部５０２を露出させるための貫通孔５０３が設けられている。
【００３７】
この様な構成においては、リモコンから送信された赤外線信号を拡散パネル１０２及び導光板１０３、並びに、高反射シート５０４、スポンジ５０５及び保持部材５０６の貫通孔５０３を介して赤外線受信部５０２に到達させることが可能となるが、拡散パネル１０２の発光面のうち、貫通孔５０３が存在しない領域と貫通孔５０３が存在する領域との間で、光量の差が生じてしまう。その結果、拡散パネル１０２の発光面のうち貫通孔５０３が存在する領域が、暗部となってしまう。
【００３８】
図８は、第２の比較例に係る面状照明装置６００について説明するための図である。図８（ａ）は面状照明装置６００の模式的な断面図である。図８（ｂ）は図８（ａ）のＣで示した部分の拡大図である。図８（ｃ）は面状照明装置６００の発光面を示す模式的な底面図である。尚、以下の説明において、本実施形態と同様の構成には同一の符号を付し、説明を省略する。
【００３９】
面状照明装置６００は、基本的には面状照明装置１００と同様に構成されているが、本体枠６０１の一部に突起部６０１ａが設けられており、この突起部６０１ａに赤外線受信部６０２が設けられている。また、面状照明装置６００は、電波送受信部４０３を含む制御部４００のかわりに、電波送受信部４０３を含まない制御部６０３が設けられている。制御部６０３は、赤外線受信部６０２に接続されている。
【００４０】
この様な構成においては、本体枠６０１の一部に突起部６０１ａを設ける必要がある。従って、本体枠の形状に大きな制約が生じてしまい、自由なデザインを実現出来ない場合がある。
【００４１】
これら第１及び第２の比較例における問題点を解決すべく、鋭意検討を重ねた結果、本発明者らは、高反射シート１０４が、可視光及び赤外線を反射するものの、いわゆる電波（例えば、３００ＭＨｚ〜３．００ＧＨｚ程度の周波数帯域の電磁波）は透過することを見出した。すなわち、本実施形態に係る面状照明装置１００の様に、赤外線受信部でなく電波送受信部４０３を採用すれば、上記第１の比較例に係る面状照明装置５００（図７）の様に高反射シート１０４に貫通孔を設ける必要が無く、上記第２の比較例に係る面状照明装置６００（図８）の様に本体枠に突起部を設ける必要も無い。従って、デザイン性を損なうことなく好適に操作可能な面状照明装置を提供することが可能となる。
【００４２】
また、本実施形態の様に、導光板１０３と、導光板１０３の外周に沿って一列に並ぶ複数の発光素子２０１と、を備える面状照明装置１００は、容易に薄型化可能である。この様な照明装置１００に電波を受信する電波受信部を設けることにより、薄型の面状照明装置１００においてフレームを突起の無い形状とすることが可能となり、居室の主照明にふさわしい明るさを実現しつつ、埋込照明（ダウンライト）のように存在感を抑えて、スタイリッシュな居室空間を作出できる。特に、本実施形態に係る面状照明装置１００によれば、突起の無いフレーム形状を実現することが可能となるため、ほこり等の堆積が抑制され、清潔感のある居室空間を作出できる。
【００４３】
尚、本実施形態に係る面状照明装置は拡散パネル１０２及び高反射シート１０４を備えていたが、これらの構成は適宜省略可能である。面状照明装置が拡散パネル１０２を有しない場合、面状照明装置１００の発光面は導光板１０３の発光面と一致していても良いし、その他の構成の発光面と一致していても良い。また、面状照明装置が高反射シート１０４を有しない場合、例えば、導光板１０３の反射側の面（反射面）には、反射材等が塗布されていても良い。尚、本明細書では、高反射シート１０４及び反射材を含む構成を、「反射層」と呼ぶ場合がある。
【００４４】
次に、図９〜図１１を参照して、本発明の第２実施形態に係る面状照明装置７００の概略的な構成を説明する。
【００４５】
図９は、壁面８００に取り付けられた面状照明装置７００を下方から見た場合の斜視図である。図１０は、壁面８００から取り外された面状照明装置７００を上方から見た場合の斜視図である。図９及び図１０に示す通り、本実施形態に係る照明装置７００は、四角環状の本体枠７０１の内側に矩形状の拡散パネル７０２Ａ，７０２Ｂが配された略箱状の全体形状を有している。拡散パネル７０２Ａは照明装置７００の下面に配され、拡散パネル７０２Ｂは照明装置７００の上面に配されている。使用に際しては、拡散パネル７０２Ａ，７０２Ｂを介して照明が行われる。
【００４６】
図１１は、面状照明装置１００の分解斜視図である。本実施形態に係る面状照明装置７００は、図１１に示すように、壁面８００に取り付けられる保持部材７０７と、該保持部材７０７に取り付けられる本体枠７０１と、本体枠７０１の内部に配置される拡散パネル７０２Ａ，７０２Ｂ、導光板７０３Ａ，７０３Ｂ、高反射シート７０４Ａ，７０４Ｂ、スポンジ７０５Ａ，７０５Ｂ、及び、シャーシ７０６Ａ，７０６Ｂとを備える。
【００４７】
本体枠７０１は、本実施形態において、略四角環状に構成されている。
【００４８】
本体枠７０１は、本体枠７０１の下端部から内側に向かって延出する延出部７１１Ａと、延出部７１１Ａの上方に設けられ、本体枠７０１の内周面から内側に向かって延出する延出部７１２Ａと、を備える。延出部７１１Ａ及び延出部７１２Ａは、拡散パネル７０２Ａと、導光板７０３Ａと、高反射シート７０４Ａと、スポンジ７０５Ａと、シャーシ７０６Ａと、を保持する。
【００４９】
また、本体枠７０１は、本体枠７０１の上端部から内側に向かって延出する延出部７１１Ｂと、延出部７１１Ｂの下方に設けられ、本体枠７０１の内周面から内側に向かって延出する延出部７１２Ｂと、を備える。延出部７１１Ｂ及び延出部７１２Ｂは、拡散パネル７０２Ｂと、導光板７０３Ｂと、高反射シート７０４Ｂと、スポンジ７０５Ｂと、シャーシ７０６Ｂと、を保持する。
【００５０】
また、本体枠７０１の前面部（壁面８００から離れる方向）の内側には、図３に示す通り、発光モジュール２１０Ａ，２１０Ｂが設けられている。
【００５１】
発光モジュール２１０Ａは、例えば、延出部７１１Ａ及び延出部７１２Ａの間に設けられ、本体枠７０１の前面部に沿って水平方向に一列に並ぶ複数の発光素子を備える。これら複数の発光素子は、導光板７０３Ａの外周の一部（前側の一辺）に沿って並び、導光板７０３Ａの側面に光を照射する。
【００５２】
発光モジュール２１０Ｂは、例えば、延出部７１１Ｂ及び延出部７１２Ｂの間に設けられ、本体枠７０１の前面部に沿って水平方向に一列に並ぶ複数の発光素子を備える。これら複数の発光素子は、導光板７０３Ｂの外周の一部（前側の一辺）に沿って並び、導光板７０３Ｂの側面に光を照射する。
【００５３】
拡散パネル７０２Ａ，７０２Ｂは、略矩形状に形成されているものの、それ以外の点においては第１実施形態に係る拡散パネル１０２とほぼ同様に構成される。
【００５４】
導光板７０３Ａ，７０３Ｂは、略矩形状に形成されているものの、それ以外の点においては第１実施形態に係る導光板１０３とほぼ同様に構成される。
【００５５】
高反射シート７０４Ａ，７０４Ｂは、略矩形状に形成されているものの、それ以外の点においては第１実施形態に係る高反射シート１０４とほぼ同様に構成される。
【００５６】
スポンジ７０５Ａ，７０５Ｂは、略矩形状に形成されているものの、それ以外の点においては第１実施形態に係るスポンジ１０５とほぼ同様に構成される。
【００５７】
シャーシ７０６Ａ，７０６Ｂは、金属等、剛性の高い材料からなり、図１１に示す通り、中心部に開口７０６Ａａ，７０６Ｂａを備える略四角環状に形成されている。シャーシ７０６Ａは、本体枠７０１の延出部７１１Ａと共に拡散パネル７０２Ａ、導光板７０３Ａ、高反射シート７０４Ａ、及び、スポンジ７０５Ａを挟持する。シャーシ７０６Ｂは、本体枠７０１の延出部７１１Ｂと共に拡散パネル７０２Ｂ、導光板７０３Ｂ、高反射シート７０４Ｂ、及び、スポンジ７０５Ｂを挟持する。
【００５８】
また、シャーシ７０６Ａ，７０６Ｂ及び本体枠７０１によって仕切られた空間には、制御部４１０及び配線等が収容される。制御部４１０は、第１実施形態に係る制御部４００とほぼ同様に構成される。制御部４１０は第１実施形態に係る制御部４００と同様に図示しない電波送受信部を備える。この電波送受信部のアンテナ４１３ａは、シャーシ７０６Ａ，７０６Ｂに設けられた開口７０６Ａａ，７０６Ｂａに対応する位置に設けられ、シャーシ７０６Ａ，７０６Ｂからは一定の距離だけ離間して設けられている。ただし、シャーシ７０６Ａ，７０６Ｂが金属以外の材料からなる場合等、シャーシ７０６Ａ，７０６Ｂによって電波が遮蔽されない場合には、シャーシ７０６Ａ，７０６Ｂとアンテナ４１３ａとが近接して設けられていても良い。
【００５９】
保持部材７０７は、壁面８００（図９）に取付可能な壁面取付部７０７ａと、本体枠７０１の壁面取付部７０７ａに対する姿勢を調整可能な姿勢調整部７０７ｂと、姿勢調整部７０７ｂを本体枠７０１に固定可能な固定部７０７ｃ，７０７ｄと、を備える。
【００６０】
尚、図示の例においては、本体枠７０１及びシャーシ７０６Ａ，７０６Ｂが略四角環状に構成されており、拡散パネル７０２Ａ，７０２Ｂと、導光板７０３Ａ，７０３Ｂと、高反射シート７０４Ａ，７０４Ｂと、スポンジ７０５Ａ，７０５Ｂと、が略矩形状に構成されている。即ち、これらの構成は、矩形に沿った形状を有する。しかしながら、これらの構成は、円又は楕円に沿った形状を有していても良いし、その他の形状を有していても良い。
【００６１】
本実施形態においても、第１実施形態と同様に、フレームを突起の無い形状とすることが可能となり、居室の主照明にふさわしい明るさを実現しつつ、スタイリッシュな居室空間を作出できる。
【００６２】
尚、上述した第１実施形態及び第２実施形態では、電波が遮蔽されないように電波送受信部を支持する構成として環状のシャーシを例示したが、これに限定されず、反射層よりも内側の内部空間において電波が遮蔽されないように電波送受信部を支持可能な構成であれば、種々の構成を採用することが可能である。例えば、フレームの内側に電波送受信部を直接固定させる構成や、フレームから径方向内側に向けて延出された支持部材等に電波送受信部を固定させる構成であっても良い。
【００６３】
その他、本実施形態に係る構成はあくまでも例示であり、具体的な構成は適宜変更可能である。
【符号の説明】
【００６４】
１００…面状照明装置、１０１…本体枠、１０２…拡散パネル、１０３…導光板、１０４…高反射シート、１０５…スポンジ、１０６…シャーシ、１０７…保持部材、２０１…発光素子、２０２…フレキシブルプリント基板、２０３…第１端子、２０４…第２端子、４００…制御部、４０３…電波送受信部、４０４…第３端子、４０５…第４端子、４０６…電圧制御部、４０７…信号制御部。
【図１】
2020184423.tif 000003
【図２】
2020184423.tif 000004
【図３】
2020184423.tif 000005
【図４】
2020184423.tif 000006
【図５】
2020184423.tif 000007
【図６】
2020184423.tif 000008
【図７】
2020184423.tif 000009
【図８】
2020184423.tif 000010
【図９】
2020184423.tif 000011
【図１０】
2020184423.tif 000012
【図１１】
2020184423.tif 000013